(57)【要約】【課題】  構成部品が少なく、小型化を図ることができる４方向スイッチおよびこれを備えた複合プリンタ装置を提供する。【解決手段】  ４方向スイッチは、４個の押圧部２０ａ〜２０ｄを含むスイッチカバー２と、ホルダ本体９を含むカバーホルダ３とを備える。スイッチカバー２は、裏面に形成され、タクトスイッチ５を押すための押圧支柱と、裏面に形成され、押圧支柱同士の間に配置された当接支柱とを含む。カバーホルダ３は、スイッチカバー２を固定するための支持部２１と、当接支柱が当接するための当接部２２ａ〜２２ｄと、撓曲可能に形成されたベンディング部２３ａ〜２３ｄとを含む。カバーホルダ３は、押圧支柱が配置される部分に挿通口２９を有し、ベンディング部２３ａ〜２３ｄは、挿通口２９よりも外側に形成されている。【選択図】        図４
2006190516.tif 000002
【特許請求の範囲】
【請求項１】
４方向スイッチを備え、
前記４方向スイッチは、互いに垂直な方向において４個の押圧部を有し、平面形状が円形のスイッチカバーと、
ホルダ本体を含み、前記スイッチカバーを支持するためのカバーホルダと
を含み、
前記スイッチカバーは、裏面から突出するように形成され、平面形状の円形の略中心に配置された支持支柱と、
前記裏面から突出するように形成され、前記４個の押圧部の位置に対応するように配置された押圧支柱と、
前記円形の周方向において、前記押圧支柱同士の間に形成された当接支柱と
を有し、
前記カバーホルダは、前記支持支柱が挿入され前記スイッチカバーを固定するための支持部と、
前記支持部に接続され、前記当接支柱が当接するための当接部と、
前記当接部と前記ホルダ本体とを接続するように形成され、撓曲可能に線状に形成されたベンディング部と
を有し、
前記カバーホルダは、前記押圧支柱が配置される部分に挿通口を有し、
前記ベンディング部は、前記挿通口と前記ホルダ本体との間に配置され、
前記ベンディング部は、円弧状に延びるように前記挿通口の外側に形成され、
前記押圧部を指で押すことにより、前記当接支柱が前記当接部を押圧して前記ベンディング部が押す向きに対応して撓曲して、さらに、前記押圧支柱がタクトスイッチを押圧するように形成され、
前記押圧部から指を離すことにより、前記ベンディング部が撓曲した状態から元の状態に戻って、前記押圧支柱が前記タクトスイッチから離れるように形成された、複合プリンタ装置。
【請求項２】
互いに垂直な方向において４個の押圧部を含むスイッチカバーと、
ホルダ本体を含み、前記スイッチカバーを支持するためのカバーホルダと
を備え、
前記スイッチカバーは、裏面から突出するように形成された支持支柱と、
前記裏面から突出するように形成され、前記４個の前記押圧部の位置に対応するように配置された押圧支柱と、
前記裏面から突出するように形成され、前記押圧支柱同士の間に配置された当接支柱と
を含み、
前記カバーホルダは、前記支持支柱が挿入され前記スイッチカバーを固定するための支持部と、
前記支持部に接続され、前記当接支柱が当接するための当接部と、
前記当接部と前記ホルダ本体とを接続するように形成され、撓曲可能に線状に形成されたベンディング部と
を含み、
前記カバーホルダは、前記押圧支柱が配置される部分に挿通口を有し、
前記ベンディング部は、前記挿通口よりも外側に形成された、４方向スイッチ。
【請求項３】
前記カバーホルダは、前記支持部と前記当接部とが接続される方向に沿って、延びるように形成された補強部材を含む、請求項２に記載の４方向スイッチ。
【発明の詳細な説明】
【技術分野】
【０００１】
本発明は、４つの方向に押圧部を有する４方向スイッチおよびこれを備えた複合プリンタ装置に関する。
【背景技術】
【０００２】
電気機器の操作部やリモート操作機の操作部において、４つの押圧部が形成された４方向スイッチが形成されている機器がある。４方向スイッチは、互いに垂直な方向において、それぞれの方向に２つずつボタンの押圧部を有する。４方向スイッチは、表示部に表示されている画像などを移動させたり、表示部に表示されている複数の映像から任意の映像を選んだりするために用いられる。
【０００３】
特開平１１−２９７１６５号公報においては、磁気テープレコーダに備えられた４方向スイッチが開示されている。この４方向スイッチにおいては、中央部に配設されている円筒状のリブと、リブの内側に形成され、リブの上端面と同一平面になるように４枚の厚みの薄いＳ字形状のばねとを備える。４枚のばねの先端部には、円板状の軸受部が配置され、軸受部は揺動できる状態で支持されている。押圧ボタンは、リブの外側に形成されたタクトスイッチの挿入口を通してタクトスイッチを押圧する。円筒状のリブは、ヒンジを介して本体に取付けられ、ヒンジおよび４枚のばねが撓むことにより、ボタン操作を行なうことができるように形成されている。
【０００４】
特開２００３−１６８３４７号公報においては、センタープッシュが可能な４方向スイッチが開示されている。この４方向スイッチにおいては、センタープッシュ操作を可能にするため、コイルスプリングを用いてスイッチ押し部を押上げている。さらに、４方向操作時の回転支点および作用点の角度、距離を適切に設定して、タクトスイッチとの間に適切なクリアランスを設けている。すなわち、４方向スイッチの中立位置への復元動作は、コイルスプリングを用いて行なわれている。
【０００５】
特開２００３−１５１４０８号公報においては、センタースイッチを有する４方向スイッチが開示されている。この公報においては、センタースイッチの接点部に接点ばね円板が配置され、さらに、４方向のスイッチの部分には、板状の接点ばねユニットが配置された４方向スイッチが開示されている。４方向に形成された接点ばねユニットは、基部から突出形成した復元ばね片を有している。
【特許文献１】特開平１１−２９７１６５号公報
【特許文献２】特開２００３−１６８３４７号公報
【特許文献３】特開２００３−１５１４０８号公報
【発明の開示】
【発明が解決しようとする課題】
【０００６】
従来の４方向スイッチにおいては、特開２００３−１６８３４７号公報に開示されているように、スイッチの内側に螺旋状のスプリングが配置され、４方向のいずれかの押圧部を押した後は、スプリングの復元力により４方向スイッチが元の位置に戻るように形成されていた。または、上記の特開２００３−１５１４０８号公報に開示されているように、スイッチに対して、ばね円板や板ばねなどを配置して、押しボタンを元の位置に戻すように形成されていた。
【０００７】
しかしながら、これらの４方向スイッチにおいては、構成部品の点数が多く、構成が複雑であるという問題があった。
【０００８】
上記の特開平１１−２９７１６５号公報においては、スプリングや板ばねなどの別部品を用いずに、４方向スイッチが形成されている。しかしながら、この４方向スイッチにおいては、タクトスイッチを押圧するための押圧杆が、円筒状に形成されたリブの外側に配置され、４方向スイッチの小型化を図ることが困難であった。
【０００９】
本発明は、上記の問題点を解決するためになされたものであり、構成部品が少なく、小型化を図ることができる４方向スイッチおよびこれを備えた複合プリンタ装置を提供することを目的とする。
【課題を解決するための手段】
【００１０】
上記目的を達成するため、本発明に基づく複合プリンタ装置は、４方向スイッチを備える。上記４方向スイッチは、互いに垂直な方向において４個の押圧部を有し、平面形状が円形のスイッチカバーと、ホルダ本体を含み、上記スイッチカバーを支持するためのカバーホルダとを含む。上記スイッチカバーは、裏面から突出するように形成され、平面形状の円形の略中心に配置された支持支柱と、上記裏面から突出するように形成され、上記４個の押圧部の位置に対応するように配置された押圧支柱と、上記円形の周方向において、上記押圧支柱同士の間に形成された当接支柱とを有する。上記カバーホルダは、上記支持支柱が挿入され上記スイッチカバーを固定するための支持部と、上記支持部に接続され、上記当接支柱が当接するための当接部と、上記当接部と上記ホルダ本体とを接続するように形成され、撓曲可能に線状に形成されたベンディング部とを有する。上記カバーホルダは、上記押圧支柱が配置される部分に挿通口を有する。上記ベンディング部は、上記挿通口と上記ホルダ本体との間に配置され、上記ベンディング部は、円弧状に延びるように上記挿通口の外側に形成されている。上記押圧部を指で押すことにより、上記当接支柱が上記当接部を押圧して上記ベンディング部が押す向きに対応して撓曲して、さらに、上記押圧支柱がタクトスイッチを押圧するように形成され、上記押圧部から指を離すことにより、上記ベンディング部が撓曲した状態から元の状態に戻って、上記押圧支柱が上記タクトスイッチから離れるように形成されている。この構成を採用することにより、構成部品が少なく小型を図ることができる４方向スイッチを備えた複合プリンタ装置を提供することができる。
【００１１】
上記目的を達成するため、本発明に基づく４方向スイッチは、互いに垂直な方向において４個の押圧部を含むスイッチカバーと、ホルダ本体を含み、上記スイッチカバーを支持するためのカバーホルダとを備える。上記スイッチカバーは、裏面から突出するように形成された支持支柱と、上記裏面から突出するように形成され、上記４個の上記押圧部の位置に対応するように配置された押圧支柱と、上記裏面から突出するように形成され、上記押圧支柱同士の間に配置された当接支柱とを含む。上記カバーホルダは、上記支持支柱が挿入され上記スイッチカバーを固定するための支持部と、上記支持部に接続され、上記当接支柱が当接するための当接部と、上記当接部と上記ホルダ本体とを接続するように形成され、撓曲可能に線状に形成されたベンディング部とを含む。上記カバーホルダは、上記押圧支柱が配置される部分に挿通口を有し、上記ベンディング部は、上記挿通口よりも外側に形成されている。この構成を採用することにより、構成部品が少なく小型化を図ることができる４方向スイッチを提供することができる。
【００１２】
上記発明において好ましくは、上記カバーホルダは、上記支持部と上記当接部とが接続される方向に沿って延びるように形成された補強部材を含む。この構成を採用することにより、上記４方向スイッチの耐久性を向上させることができる。また、上記スイッチカバーが中立位置に復元するときの復元力を大きくすることができる。
【発明の効果】
【００１３】
本発明によれば、構成部品が少なく小型化を図ることができる４方向スイッチおよびこれを備えた複合プリンタ装置を提供することができる。
【発明を実施するための最良の形態】
【００１４】
（構成）
図１から図８を参照して、本発明に基づく実施の形態における４方向スイッチおよびこれを備えた複合プリンタについて説明する。
【００１５】
図１は、本実施の形態における複合プリンタの概略斜視図である。本実施の形態における複合プリンタ装置は、矢印５１に示すように開閉可能に形成された原稿押え３１を上部に備える。原稿押え３１は、平板状に形成され、原稿をガラス板３２に向かって押えつけることができるように形成されている。
【００１６】
複合プリンタは、外側の筐体として、ボトムハウジング３０およびトップハウジング３６を含む。ボトムハウジング３０の上面には、ガラス板３２が形成されている。ガラス板３２の内側には、画像読取装置が配置されている。
【００１７】
ボトムハウジング３０の正面には、印刷された用紙を排出するための排出口３４が形成されている。排出口３４には、排出された用紙などを一時的に配置しておくための用紙トレイ３３が形成されている。また、ボトムハウジング３０の前面には、画像データなどを保存するメモリカードを挿入するためのカード挿入口３５が形成されている。
【００１８】
図２に、トップハウジングの部分の概略斜視図を示す。トップハウジング３６は、ボトムハウジング３０の上側において、原稿押え３１の側方に配置されている。トップハウジング３６は、操作状況や取込まれた画像などを表示するための液晶表示パネル３７が形成されている。また、トップハウジング３６には、複合プリンタ装置を操作するための押しボタン３８が複数形成されている。トップハウジング３６には、取込んだ映像の操作を行なったり、複数の画像のうち任意の画像を選択したりするための４方向スイッチ１が形成されている。４方向スイッチ１は、トップハウジング３６の長手方向のほぼ中央部分に配置されている。
【００１９】
図３に、４方向スイッチの部分の概略斜視図を示す。図３は、トップハウジング３６のカバーを取り外した状態の斜視図である。
【００２０】
４方向スイッチ１は、平面形状が円形のスイッチカバー２と、スイッチカバー２を支持するためのカバーホルダ３とを含む。スイッチカバー２は、平面視したときに互いに垂直な方向において４個の押圧部２０ａ〜２０ｄを有する。図２を参照して、本実施の形態における押圧部２０ａ〜２０ｄは、複合プリンタ装置の前後方向と幅方向とに、それぞれ２つずつ形成されている。
【００２１】
図４に、４方向スイッチの分解斜視図を示す。カバーホルダ３の下側には、ＰＣＢ（Printed Circuit Board）基板４が配置される。ＰＣＢ基板４の表面には、複数のタクトスイッチ５が形成されている。タクトスイッチ５は、矢印５３に示すようにカバーホルダ３に形成された挿通口２９の位置に対応するように配置されている。
【００２２】
図５に、カバーホルダ３の概略平面図を示す。図４および図５を参照して、カバーホルダ３は、ホルダ本体９と、スイッチカバー２を支持するための支持部２１とを含む。支持部２１は、平面形状がほぼ正方形になるように形成されている。支持部２１は、カバーホルダ３のほぼ中央部分に配置されている。支持部２１には、嵌入穴２７が形成されている。嵌入穴２７は、スイッチカバー２に形成された支持支柱を嵌め込むことができるように形成されている。
【００２３】
カバーホルダ３は、支持部２１に接続され、スイッチカバーに形成された当接支柱が当接するための当接部２２ａ〜２２ｄを含む。当接部２２ａ〜２２ｄは、支持部２１の平面形状である正方形の角の部分に対応する位置に配置されている。当接部２２ａは、表面からスイッチカバーに向かって突出するように形成された突起部２４ａを含む。また、同様に、当接部２２ｂ〜２２ｄは、突起部２４ｂ〜２４ｄをそれぞれ含む。
【００２４】
突起部２４ａ〜２４ｄは、スイッチカバー２に形成された当接支柱に当接するように形成されている。突起部２４ａ〜２４ｄは、それぞれの当接部２２ａ〜２２ｄにおいて、２つずつ形成され、貫通穴２８を挟むように配置されている。
【００２５】
当接部２２ａ〜２２ｄは、平面形状がほぼ扇型になるように形成され、中央部分には貫通穴２８が形成されている。それぞれの当接部２２ａ〜２２ｄが、支持部２１の平面形状における４つの角の部分に形成されていることによって、支持部２１の周りに平面形状がほぼ四角形の挿通口２９が形成されている。挿通口２９は、タクトスイッチまたはスイッチカバーに形成された押圧支柱が挿通するための開口部分である。
【００２６】
当接部２２ａ〜２２ｄとホルダ本体９とは、ベンディング部２３ａ〜２３ｄによってそれぞれ接続されている。当接部２２ａは、ベンディング部２３ａによってホルダ本体９に接続されている。同様に、当接部２２ｂ〜２２ｄは、ベンディング部２３ｂ〜２３ｄによってそれぞれホルダ本体９に接続されている。
【００２７】
本実施の形態において、ベンディング部２３ａ〜２３ｄは、線状に形成されている。ベンディング部２３ａ〜２３ｄは弾性を有し、撓んで曲がるように形成されている。ベンディング部２３ａ〜２３ｄは、撓曲可能に形成されている。ベンディング部２３ａ〜２３ｄは、それぞれが挿通口２９とホルダ本体９との間に配置されている。本実施の形態におけるベンディング部２３ａ〜２３ｄは、平面視したときに円弧状に延びるように挿通口２９の外側に形成されている。
【００２８】
このように、本実施の形態においては、ホルダ本体９のほぼ中央部分に、平面形状が円の穴が形成され、この穴の一部を覆うように、支持部２１、当接部２２ａ〜２２ｄ、およびベンディング部２３ａ〜２３ｄが形成されている。ベンディング部２３ａ〜２３ｄは、ホルダ本体９の穴の形状に沿って、延びるように形成されている。本実施の形態においては、ホルダ本体９、支持部２１、当接部２２ａ〜２２ｄおよびベンディング部２３ａ〜２３ｄは、一体的に形成されている。
【００２９】
ホルダ本体９は、複数のピン穴２６を含み、ピン穴２６にねじなどが挿入され、ホルダ本体９がＰＣＢ基板４などに固定される。
【００３０】
図６に、スイッチカバーおよびカバーホルダを裏側から見たときの分解斜視図を示す。また、図７に、ホルダ本体の下面図を示す。
【００３１】
図６を参照して、スイッチカバー２は、裏面から突出するように形成され、スイッチカバー２の平面形状の円形のほぼ中心に配置された支持支柱１０を含む。支持支柱１０は、ほぼ円柱状に形成されている。
【００３２】
また、スイッチカバー２は、裏面から突出するように形成され、スイッチカバー２の表面に配置された押圧部の位置に対応するように形成された押圧支柱１３を含む。押圧支柱１３は、スイッチカバー２の平面形状の円の周方向に沿って４個形成されている。押圧支柱１３は、カバーホルダ３の挿通口２９を通るように形成されている。
【００３３】
スイッチカバー２は、平面形状である円の周方向において押圧支柱１３同士の間に形成された当接支柱１１を含む。当接支柱１１は、円柱状に形成され、先端が半球状になるように形成されている。当接支柱１１は、スイッチカバー２の押圧部を押したときに、カバーホルダ３の当接部２２ａ〜２２ｄに形成された突起部に当接するように形成されている。
【００３４】
図６および図７を参照して、本実施の形態におけるカバーホルダ３は、支持部２１と、当接部２２ａ〜２２ｄとが接続される方向に沿って延びるように形成された補強梁１５を含む。補強梁１５は、長手方向を有し、この長手方向が支持部２１からホルダ本体９に向かう方向と平行になるように配置されている。補強梁１５は、弾性を有し、ベンディング部の補強部材として形成されている。補強梁１５は、線状に形成されている。本実施の形態においては、補強梁１５が４つ形成され、それぞれが独立して撓曲可能なように形成されている。
【００３５】
（作用・効果）
図１および図２を参照して、使用者は液晶表示パネル３７に表示された画像などを見ながら、押しボタン３８および４方向スイッチ１を操作することにより、複合プリンタ装置の操作を行なう。
【００３６】
図３から図７を参照して、スイッチカバー２は、矢印５２に示すように、カバーホルダ３に固定される。スイッチカバー２の支持支柱１０は、支持部２１に形成された嵌入穴２７に嵌め込まれて固定される。
【００３７】
このとき、スイッチカバー２の裏面に形成された当接支柱１１は、先端部が当接部２２ａ〜２２ｄの突起部２４ａ〜２４ｄに対向するように配置される。また、スイッチカバー２の裏面に形成された押圧支柱１３は、カバーホルダ３の挿通口２９を挿通するように配置される（図４に示す矢印５３参照）。押圧支柱１３は、挿通口２９を通してＰＣＢ基板４に配置されたタクトスイッチ５に対向するように配置される。
【００３８】
図８に、４方向スイッチを組立てたときの概略断面図を示す。図８は、スイッチカバーの平面形状の円の径方向のうち、押圧支柱を含む方向で切断したときの概略断面図である。支持支柱１０は、支持部２１に形成された嵌入穴２７に嵌め込まれて固定されている。したがって、支持部２１とスイッチカバー２とは一体的に可動する。ここで、矢印５４に示すように、４方向の押圧部のうち一の押圧部を押すことにより、一の押圧支柱１３が、対応する一のタクトスイッチ５を押圧する。
【００３９】
図４、図６、および図８を参照して、たとえば４方向の押圧部２０ａ〜２０ｄのうち、押圧部２０ａを指で押したとする。押圧部を押す前は、スイッチカバー２は中立位置にある。すなわち、それぞれのタクトスイッチ５と押圧支柱１３とは離れた状態である。スイッチカバー２の裏面に形成され、押圧部２０ａに対応する押圧支柱１３の両側に配置された２つの当接支柱１１が、それぞれ当接部２２ａの突起部２４ａおよび当接部２２ｂの突起部２４ｂに当接する。当接部２２ａ，２２ｂが押圧されることにより、４つのベンディング部２３ａ〜２３ｄが撓み、押圧支柱１３がタクトスイッチ５を押す。
【００４０】
次に、スイッチカバー２の押圧部２０ａから指を放すと、ベンディング部２３ａ〜２３ｄの弾性により、押圧支柱１３は、タクトスイッチ５から離れ、スイッチカバー２は、元の中立位置に復元する。
【００４１】
スイッチカバー２が中立位置にある状態においては、支持部２１の表面および当接部２２ａ〜２２ｄの主表面はほぼ水平である。スイッチカバー２の一の押圧部を押すことにより、押圧支柱がタクトスイッチを押すとともに、支持部２１および当接部２２ａ〜２２ｄの主表面が傾斜する。ベンディング部２３ａ〜２３ｄは、支持部２１および当接部２２ａ〜２２ｄの動きに追従して湾曲する。上記の一の押圧部から指を離すことにより、スイッチカバー２は、ベンディング部２３ａ〜２３ｄの弾性によって元の中立位置に戻る。
【００４２】
本実施の形態における４方向スイッチは、スイッチカバーおよびスイッチカバーを固定するためのカバーホルダを備え、カバーホルダは、押圧支柱が配置される部分に挿通口を有する。４方向スイッチは、撓曲可能に線状に形成されたベンディング部をさらに備え、ベンディング部が挿通口の外側に形成されている。この構成を採用することにより、ベンディング部を挿通口を取囲むように形成することができ、支持部の周りに挿通口を配置することができる。この結果、４方向スイッチを小さくすることができる。また、螺旋状ばねなどの別部品を用いる必要がなく、部品数を少なくすることができる。
【００４３】
さらに、本実施の形態においては、カバーホルダは、支持部と当接部とが接続される方向に沿って延びるように形成された補強部材を含む。この構成を採用することによって、スイッチカバーが中立位置に戻るときの復元力を大きくすることができる。また、４方向スイッチの耐久性を向上させることができる。
【００４４】
カバーホルダの材質としては、ベンディング部に弾性を有するものが好ましい。たとえば、ＡＢＳ（アクリロニトリル・ブタジエン・スチレン）樹脂などが好適である。
【００４５】
本実施の形態においては、４方向の操作のみを行なう４方向スイッチについて説明したが、特にこの形態に限られず、中央部分にセンタースイッチを有する４方向スイッチについても、本発明を適用することができる。
【００４６】
また、本実施の形態においては、４方向スイッチを備える機器として、複合プリンタ装置を例に取り挙げて説明したが、特にこの形態に限られず、任意の機器に対して、本発明に基づく４方向スイッチを適用することができる。たとえば、電気機器としての電話機や、テレビジョン受像機などに本発明を適用することができる。さらに、種々の電気機器におけるリモート操作機に本願発明を適用することができる。たとえば、ＤＶＤ（Digital Video Disk）再生機のリモート操作機に、本発明を適用することができる。
【００４７】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４８】
【図１】実施の形態における複合プリンタ装置の斜視図である。
【図２】複合プリンタ装置の操作部の斜視図である。
【図３】実施の形態における４方向スイッチの一の斜視図である。
【図４】実施の形態における４方向スイッチを分解したときの斜視図である。
【図５】実施の形態におけるカバーホルダの平面図である。
【図６】４方向スイッチを分解したときの他の斜視図である。
【図７】実施の形態におけるカバーホルダの下面図である。
【図８】実施の形態における４方向スイッチの概略断面図である。
【符号の説明】
【００４９】
１  ４方向スイッチ、２  スイッチカバー、３  カバーホルダ、４  ＰＣＢ基板、５  タクトスイッチ、９  ホルダ本体、１０  支持支柱、１１  当接支柱、１３  押圧支柱、１５  補強梁、２０ａ〜２０ｄ  押圧部、２１  支持部、２２ａ〜２２ｄ  当接部、２３ａ〜２３ｄ  ベンディング部、２４ａ〜２４ｄ  突起部、２６  ピン穴、２７  嵌入穴、２８  貫通穴、２９  挿通口、３０  ボトムハウジング、３１  原稿押え、３２  ガラス板、３３  用紙トレイ、３４  排紙口、３５  カード挿入口、３６  トップハウジング、３７  液晶表示パネル、３８  押しボタン、５１〜５４  矢印。
【図１】
2006190516.tif 000003
【図２】
2006190516.tif 000004
【図３】
2006190516.tif 000005
【図４】
2006190516.tif 000006
【図５】
2006190516.tif 000007
【図６】
2006190516.tif 000008
【図７】
2006190516.tif 000009
【図８】
2006190516.tif 000010